(57)【特許請求の範囲】
【請求項１】
測定作業によって最良のセルを決定した後に始めて移動端末の同期化が行われる、無線通信ネットワーク内で移動端末を同期化する方法であって、
−管理局との交信のために移動端末の同期化を要求する段階（１０）と、
そのように要求する場合に、
−測定作業がすでに行われたことを確認する段階（１２）と、
−前回の測定作業が行われてから経過した時間が、予め定められた有効間隔を下回っていることを確認する段階（１４）と、
前記確認のうちの１つが否定的結果を与える場合には、測定作業が行われる段階と、
−管理局に前記移動端末を同期化する段階（１６）と
を含む方法。
【請求項２】
同期化する段階（１６）に先だつ測定作業が行われる段階が、前回の測定作業以降に経過した時間が前記有効間隔を上回る場合にのみ実行されることを特徴とする、請求項１に記載の方法。
【請求項３】
間隔Ｔｖ  が、移動端末の使用状況を考慮に入れるアルゴリズムによって動的に決定されることを特徴とする、請求項１または２に記載の方法。
【請求項４】
前記移動端末の同期化の消失の後で前記同期化要求が行われることを特徴とする、請求項１から３のいずれか一項に記載の方法。
【請求項５】
前記同期化要求が前記移動端末の始動時に行われることを特徴とする、請求項１から３のいずれか一項に記載の方法。
【請求項６】
ＧＳＭ型無線通信ネットワーク内で使用されることを特徴とする、請求項１から５のいずれか一項に記載の方法。
【請求項７】
請求項６に記載の同期化方法を実施する制御ソフトウェアを含む、ＧＳＭ型無線通信ネットワーク内で使用される移動端末。
【発明の詳細な説明】
【０００１】
【産業上の利用分野】
本発明は一般的に、セル型無線通信ネットワーク内の移動端末の同期化、より詳細には無線電話システム内の移動端末の同期化をより速く行うことを可能にする方法に関する。
【０００２】
【従来の技術】
ＧＳＭ型無線通信システムは、無線の観点から見れば各セルが基地局（ＢＴＳ）によってカバーされる、セル型ネットワークである。基地局がそのセル内および隣接セル内にある全ての端末に向けて管理情報を発信する周波数によって、各セルは移動端末によって識別される。ＧＳＭ系内では、使用可能な周波数の数は１２４である。
【０００３】
ある端末がネットワークに認識されたいと希望する際には、その端末はまず自分のいるセルを確認する。これは、そのシステムによって予め用意されている全ての周波数を順次聴受し最も出力レベルの高い周波数を決定することによって行われる。この作業は測定作業と呼ばれ、３秒から５秒を要することがある。
【０００４】
次に端末は最も高い出力レベルをもたらす基地局に同期しようと試み、それに成功しなかった場合には、同期ができるまで、出力レベルの高い順に他の基地局との同期を試みる。
【０００５】
端末が始動した時あるいは端末の使用者がネットワークの変更を要求した時、自動的に測定作業と同期化とを含む手順が開始する。しかしながら、例えば端末を搭載した車両がトンネルを通過していたとか、またはさらに一般的には無線受信状態が悪いため端末が同期できないという理由で、基地局と端末との間の無線接続が中断された時など同期が失われた後でもこの手順が開始される。そのような同期の時間中、すなわち本来の同期に先立つ測定作業時間（３〜５秒間）中は、残念ながら端末からは全く通話を発信することができない。端末の使用者にはこの使用不能時間が長過ぎそれについての不満があることが確認された。
【０００６】
【発明が解決しようとする課題】
したがって本発明の目的は、好条件においては測定作業を実施する必要のない、移動端末の同期化方法を実施することである。
【０００７】
【課題を解決するための手段】
したがって本発明は、測定作業によって最良のセルを決定した後に始めて、移動端末の同期化が行われる、無線通信ネットワーク内で移動端末を同期化する方法であって、
−管理局との交信のために移動端末の同期化を要求する段階と、
−測定作業がすでに行われたことを確認する段階と、
−前記測定作業が行われてから経過した時間が、決定された有効間隔（１４）を下回っていることを確認する段階と、
−管理局に前記移動端末を同期化する段階と
を含む方法を対象とする。
【０００８】
本発明の諸目的、対象、特徴は、本発明による方法についての以下の説明を読めば、より良く理解されよう。
【０００９】
【実施例】
図１に例示するように、端末制御ソフトウェアによって実施される同期化方法は、同期化要求１０から始まる。この同期化要求は、移動端末の始動時に自動的に行うか、使用者によるネットワーク変更要求をうけて行うか、あるいは例えば端末がある車両がトンネルを通過することによる同期の消失後、端末による要求によって行うことができる。
【００１０】
次の段階１２で、測定作業が前回の同期についてあるいは自動的にすでに行われたかどうかを確認する。実際、測定作業は、都市部にいるか農村部にいるかによって異なる、セルの大きさに依存する、使用周波数の数にその値が依存する周期Ｔで定期的に系統的な方法で行われる。したがって、周期Ｔは、５秒から６０秒までの値をとることができる。
【００１１】
この測定作業は、適切な基地局を常に決定することにより端末をネットワークに同期した状態に保つことを目的として自律的に行われ、端末を使用不能にしない。
【００１２】
次に、段階１４で、前回の測定作業以降経過した時間が、例えばセルの大きさといったパラメータを考慮して測定作業の有効時間であると推定された間隔Ｔ  v よりも少ないかどうかを決定する。この間隔は、ネットワーク内における端末の移動度をもたらす以下のアルゴリズムに従って、一定であることも変更可能なこともある。
【００１３】
まず、間隔Ｔv の値は
Ｔ0 ≦Ｔv ＜Ｔ
でなければならない。
【００１４】
ただし、Ｔ0 は任意の値であり、１秒または２秒に固定できる。
【００１５】
【数１】
0003681435.tif 000002
【００１６】
ただし、
【００１７】
【数２】
0003681435.tif 000003
【００１８】
は以下のようにして求められる。
【００１９】
所定の値Ｋを想定して、下式に従って良い方から６つの周波数の和をＫと比較する。
【００２０】
【数３】
0003681435.tif 000004
【００２１】
ただし、Ｐn-1 は前々回の測定作業中に得られた出力を表し、Ｐn は前回の測定作業中に得られた出力を表す。
【００２２】
不等式の成立が確認された場合、出力レベルの変化が大きく、端末が非常に高速で移動していることを意味し、次式が得られる。
【００２３】
【数４】
0003681435.tif 000005
【００２４】
そうでない場合は次式が得られる。
【００２５】
【数５】
0003681435.tif 000006
【００２６】
ただし
【００２７】
【数６】
0003681435.tif 000007
【００２８】
とする。
【００２９】
なお、Δｔは０．５秒または１秒とすることができる。
【００３０】
前回の測定作業以降経過した時間がＴv 未満の場合、前回の測定作業がまだ有効であるとみなし、測定作業は行われない。その場合は同期化ステップ１６が実行される。
【００３１】
測定作業がまだ１回も行われていない（例えば端末の始動時）場合、または前回の測定作業以降Ｔv を超える時間が経過した場合には、同期を行う前にステップ１８で測定作業を行う必要がある。
【００３２】
本発明は自律的に行われる測定作業以外にも適用できることに留意されたい。すなわち、前回の同期化要求後直ちに、例えば間隔Ｔv 以内に同期化要求を実行することができる。その場合、前回の同期化のために行われた測定作業が現在も有効であり、新しく測定作業は行わない。
【００３３】
本発明の別の応用例は、端末の始動時に実行される。実際、端末の電源が入ると直ぐに、使用者の確認を待たずに測定作業を含む同期化手順が開始される。これは緊急呼び出しを行えるようにすることを主目的とする。次に使用者は自らを認知してもらうためＩＤカード（ＳＩＭ）を挿入する。それにより優先ネットワークへの新規の同期化が実行される。ただし前記と同様、初回の測定作業以後間隔Ｔv 内に要求が出された場合には、この同期化の前に新規に測定作業が行われることはない。
【００３４】
このように、同期化要求が好ましいタイミングで出された時には、本発明により３秒間から５秒間（測定作業実行時間）の移動端末の使用不能状態を防止することができることがわかる。前記の間隔Ｔv の決定の選択以外にも、当業者なら本発明の範囲を逸脱せずにその他の変更を行えるであろう。
【図面の簡単な説明】
【図１】移動端末の同期化方法を示すフローチャートである。
【図１】
0003681435.tif 000008